(57)【要約】【課題】映像信号処理装置と表示パネルとから構成され、組立後にそれら個々の検査を行うことが可能な表示装置を提供する。【解決手段】表示装置１０は、前記双方向バスを介して映像信号を送信する映像信号処理装置１１と、前記映像信号に基づく画像を表示する表示モジュール１２とを備え、映像信号処理装置１１と表示モジュール１２は双方向バス１３を介して接続されている。この双方向バス１３には検査装置１５が接続される。従って、検査装置１５は、映像信号処理装置１１、表示モジュール１２と直接的に接続される。【選択図】      図１
2006153927.tif 000002
【特許請求の範囲】
【請求項１】
双方向バスと、
前記双方向バスに接続され、該双方向バスを介して映像信号を送信する映像信号処理装置と、
前記双方向バスに接続され、前記映像信号に基づく画像を表示する表示モジュールと、
を備えたことを特徴とする表示装置。
【請求項２】
補正データを記憶する記憶手段と、
映像データと前記補正データとを複合処理したデータを出力する処理手段と、
を備えたことを特徴とする請求項１記載の表示装置。
【請求項３】
前記双方向バスに接続された検査装置を制御する制御手段を備えたことを特徴とする請求項１又は２記載の表示装置。
【請求項４】
前記制御手段は、前記双方向バスを介して前記表示モジュールに送信した映像データと、前記検査装置から前記双方向バスを介して受信した計測データとの差分値データを生成し、該差分値データを補正データとして前記記憶手段に記憶する、ことを特徴とする請求項３記載の表示装置。
【請求項５】
前記表示モジュールは、前記双方向バスと接離可能な第２のバスを備え、
前記検査装置は前記第２のバスに接続される、ことを特徴とする請求項３又は４記載の表示装置。
【請求項６】
前記第２のバスには、複数の選択回路が設けられ、前記検査装置を含み外部接続される機器はそれぞれ選択回路を介して前記第２のバスに接続される、ことを特徴とする請求項５記載の表示装置。
【請求項７】
前記双方向バスを制御するバス制御手段を備え、
該バス制御手段は、第１の期間に前記双方向バスを介して前記表示モジュールに画像を表示する映像データを送信し、第２の期間に制御信号又は計測データを送信する、ことを特徴とする請求項１〜６のうちの何れか一項に記載の表示装置。
【請求項８】
前記双方向バスは一対の伝送線路を備え、
前記バス制御手段は、送信するデータに応じて前記一対の伝送線路に大きさが等しく互いに逆方向の駆動電流を発生する、ことを特徴とする請求項７記載の表示装置。
【請求項９】
前記バス制御手段は、
第１の期間において、前記映像データに応じて前記一対の伝送線路に大きさが等しく互いに逆方向の駆動電流を発生する第１の出力回路と、
第２の期間において、前記制御信号又は計測データに応じて前記一対の伝送線路に大きさが等しく互いに逆方向の駆動電流を発生する第２の出力回路と、
を備えたことを特徴とする請求項８記載の表示装置。
【請求項１０】
前記表示モジュールは、送信するデータに応じて前記一対の伝送線路に大きさが等しく互いに逆方向の電流を発生するバス制御手段を備えたことを特徴とする請求項９記載の表示装置。
【発明の詳細な説明】
【技術分野】
【０００１】
本発明は、液晶等の表示パネルを備えた表示装置に関するものである。
【背景技術】
【０００２】
従来、液晶等の表示パネルを備え、映像データに基づいて表示パネルの画素を駆動して画像を表示する表示装置が提案されている。例えば、液晶を用いたディスプレイ・システムは、液晶の配列を変化させて光の透過量を制御することで、画像を表示している（非特許文献１参照）。また、ＬＥＤ等の発光素子を備えた表示パネルでは、発光素子の発光量を制御することで画像を表示している。
【非特許文献１】新田博幸／工藤泰幸著、「カラー液晶ディスプレイ・システム詳解」、トランジスタ技術、２０００年９月号、ＣＱ出版株式会社、２０００年９月１日、ｐ．２５５−２６８
【発明の開示】
【発明が解決しようとする課題】
【０００３】
ところで、表示装置は、複数の画素がマトリックス状に配列された表示領域全体における光透過量や発光量のバランスをとることが難しく、これが点欠陥、シミ、むら等（以下、これらを欠陥という）の原因となってしまう。従って、表示装置は、出荷段階において、目視又は装置を用いて検査されている。
【０００４】
表示装置は、表示パネルと駆動回路とを備えた表示モジュールと、映像データに基づいて表示モジュールを駆動する映像信号処理装置とを備えている。このため、表示装置の試験は、試験装置から映像信号処理装置を介して表示パネルに画像を表示させ、該画像に基づいて良否が判定される。このため、上記の欠陥が映像信号処理装置と表示モジュールの何れに起因するものかを判断することができず、発生原因を特定することができなかった。
【０００５】
また、上記の検査結果は、プロセスの改善等に用いられるのみであり、欠陥を有する表示装置そのものの表示品位を向上させることができなかった。このため、欠陥があり表示品位の低い表示装置は不良品として処理されてしまい、歩留まりを向上させることができなかった。
【０００６】
本発明は上記問題点を解決するためになされたものであって、その目的は、映像信号処理装置と表示モジュールとから構成され、組立後にそれら個々の検査を行うことが可能な表示装置を提供することにある。また、別の目的は、表示モジュールにおける表示品位を補正することが可能な表示装置を提供することにある。
【課題を解決するための手段】
【０００７】
上記目的を達成するため、請求項１に記載の発明は、双方向バスと、前記双方向バスに接続され、該双方向バスを介して映像信号を送信する映像信号処理装置と、前記双方向バスに接続され、前記映像信号に基づく画像を表示する表示モジュールと、を備えた。従って、検査装置を双方向バスに接続することで、検査装置と表示モジュールとの間、検査装置と映像信号処理装置との間でデータ転送が可能となり、個々の検査が可能となる。
【０００８】
請求項２に記載の発明は、補正データを記憶する記憶手段と、映像データと前記補正データとを複合処理したデータを出力する処理手段と、を備えた。従って、表示モジュールの状態に応じて映像データを補正することができ、欠陥をなくす、或いは目立たなくする、つまり表示品位を補正することができる。
【０００９】
請求項３に記載の発明は、前記双方向バスに接続された検査装置を制御する制御手段を備えた。従って、表示装置の出荷後にも検査を行うことが可能となる。
請求項４に記載の発明は、前記制御手段は、前記双方向バスを介して前記表示モジュールに送信した映像データと、前記検査装置から前記双方向バスを介して受信した計測データとの差分値データを生成し、該差分値データを補正データとして前記記憶手段に記憶するようにした。従って、検査装置は、表示モジュールの状態を計測した計測データを出力する構成であればよく、簡単な構成で検査と補正を行うことができる。
【００１０】
請求項５に記載の発明は、前記表示モジュールは、前記双方向バスと接離可能な第２のバスを備え、前記検査装置は前記第２のバスに接続されるようにした。従って、検査装置の接続が必要とする場合に第２のバスを接続することで、該第２のバスを離間させることで、双方向バスにおいて接続された機器の影響をなくすることができる。
【００１１】
請求項６に記載の発明は、前記第２のバスには、複数の選択回路が設けられ、前記検査装置を含み外部接続される機器はそれぞれ選択回路を介して前記第２のバスに接続されるようにした。従って、外部に複数の機器を接続した場合においても、確実に所望の機器にデータを送信することができる。
【００１２】
請求項７に記載の発明は、前記双方向バスを制御するバス制御手段を備え、該バス制御手段は、第１の期間に前記双方向バスを介して前記表示モジュールに画像を表示する映像データを送信し、第２の期間に制御信号又は計測データを送信するようにした。従って、映像データと、制御信号又は計測データとが異なる期間に送信されるため、映像データに基づき表示モジュールにて画像が表示されない期間に制御信号又は計測データが伝送され、映像データに基づき表示モジュールに表示される画像と関係なくデータの伝送が可能となる。
【００１３】
請求項８に記載の発明は、前記双方向バスは一対の伝送線路を備え、前記バス制御手段は、送信するデータに応じて前記一対の伝送線路に大きさが等しく互いに逆方向の駆動電流を発生するようにした。従って、一対の伝送線路に映像データに応じた双方向電流を流すことによりデータの伝送を行うようにしたので、ＥＭＩノイズ放射や、信号のＳＮ比の悪化を招くことなく、また伝送容量に伴う伝播遅延や信号毎のスキューずれ発生をも抑制できることで、高周波の映像データ信号伝送を行うことが可能になる。
【００１４】
請求項９に記載の発明は、前記バス制御手段は、第１の期間において、前記映像データに応じて前記一対の伝送線路に大きさが等しく互いに逆方向の駆動電流を発生する第１の出力回路と、第２の期間において、前記制御信号又は計測データに応じて前記一対の伝送線路に大きさが等しく互いに逆方向の駆動電流を発生する第２の出力回路と、を備えた。従って、映像データに応じて生成される駆動電流と、制御信号又は計測データに応じて生成される駆動電流とが異なる期間に生成されるため、映像データに基づき表示モジュールにて画像が表示されない期間に制御信号又は計測データが伝送されるため、映像データに基づき表示モジュールに表示される画像と関係なくデータの伝送が可能となる。
【００１５】
請求項１０に記載の発明は、前記表示モジュールは、送信するデータに応じて前記一対の伝送線路に大きさが等しく互いに逆方向の電流を発生するバス制御手段を備えた。従って、表示モジュールから映像信号処理装置に対してデータの転送が可能となる。
【発明の効果】
【００１６】
以上記述したように、本発明によれば、映像信号処理装置と表示パネルとから構成され、組立後にそれら個々の検査を行うことが可能な表示装置を提供することができる。
また、本発明によれば、表示モジュールにおける表示品位を補正することが可能な表示装置を提供することができる。
【発明を実施するための最良の形態】
【００１７】
以下、本発明を具体化した一実施形態を図１〜図５に従って説明する。
この表示装置としての映像データ表示システム１０は、映像信号処理装置１１と表示モジュール１２とから構成されている。映像信号処理装置１１と表示モジュール１２は、双方向バス１３を介して接続されている。映像信号処理装置１１は、タイミング信号を含む各種制御信号、外部入力される映像データに基づく映像信号を生成し、双方向バス１３を介してこれら信号を表示モジュール１２に送信する。表示モジュール１２は、双方向バス１３を介して受信した各種制御信号、パルス幅変調信号に基づいて画像を表示する。
【００１８】
この双方向バス１３には、映像データ表示システム１０を検査するための検査装置１５が接続される。つまり、モジュールとして組み立て後に検査装置を表示モジュール１２に直接接続することができる。このため、表示モジュール１２単体のチェックを組み立て後にも行うことができる。
【００１９】
検査装置１５には、例えば、表示検査装置、電気信号検査装置、ＣＣＤ等の撮像装置が用いられる。表示検査装置を双方向バス１３に接続した場合、表示検査装置は、双方向バス１３を介して所定の検査データを表示モジュール１２に送信し、表示モジュール１２はその検査データに応じた画像を表示する。この画像を検査者が目視にて検査することができる。
【００２０】
また、電気信号検査装置を双方向バス１３に接続した場合、電気信号検査装置は、双方向バス１３を介して伝達される信号の波形を表示、又は信号のタイミング等を解析する。この表示・解析結果にて検査することができる。
【００２１】
映像信号処理装置１１は、補正データを記憶可能に構成されるとともに、外部から入力される映像データと補正データとを複合処理可能に構成されている。この補正データは、双方向バス１３を介して供給される。例えば、双方向バス１３に表示検査装置及び撮像装置を接続する。撮像装置は、表示検査装置から送信された検査データによって表示モジュール１２に表示された画像を撮像し、該画像に応じた認識データを生成する。そして、表示検査装置は、撮像装置から出力される認識データと検査データとを比較して補正データを生成する。この補正データは、双方向バス１３を介して映像信号処理装置１１に送信され、該装置１１はその補整データを記憶する。この構成により、映像信号処理装置１１には、表示モジュール１２の特性に応じた補正データが記憶され、該補正データにより外部から供給される映像データに補正を施すことができる。従って、表示モジュール１２にむら等の欠陥があった場合、その欠陥に基づいて補正データを作成し、その補正データと映像データとを複合処理することで、表示モジュール１２における欠陥を補正することができる。
【００２２】
また、映像信号処理装置１１は、テスト機能を有している。映像信号処理装置１１は、テスト機能により、双方向バス１３に接続された検査装置１５を制御する。また、映像信号処理装置１１は、テスト機能により、検査装置１５から受信した計測データに基づいて補正データを生成し、その補正データを記憶する。検査装置１５は、計測データとして、輝度データ、ＲＧＢの色差、のうちの少なくとも１つを生成する。次に、映像信号処理装置１１は、生成した補正データと映像データとを複合処理して生成したパルス幅変調信号を表示モジュール１２に送信する。そして、映像信号処理装置１１は、上記の処理を複数回繰り返し実行する。つまり、映像信号処理装置１１は、画像の表示と計測及び補正データの作成を交互に繰り返す。これにより、精度の高い補正データが得られる、即ち画像の表示にかかる部分の特性を確実に補正して補正可能な欠陥を確実になくすことができる。
【００２３】
尚、画像の表示と計測及び補正データの作成は、映像を表示する期間と表示しない期間で行われる。図４に示すように、表示モジュール１２は、映像表示期間に受信する信号を表示し、帰線期間（非映像表示期間）における信号を表示しないように制御される。この表示期間（第１の期間）に画像を表示させ、帰線期間（第２の期間）に計測及び補正データの生成を行う。つまり、映像信号処理装置１１は、第１の期間に映像データに基づくパルス幅変調信号を表示モジュール１２に送信し、該表示モジュール１２はそのパルス幅変調信号に基づく画像を表示する。検査装置１５は、表示モジュール１２に表示された画像を計測する。そして、映像信号処理装置１１は、第２の期間において、検査装置１５から検査結果である計測データを受信し、その計測データと映像データとを比較して生成した補正データを記憶する。次に、映像信号処理装置１１は、生成した補正データと映像データとを複合処理して生成したパルス幅変調信号を次の第１の期間に表示モジュール１２に送信する。このように、期間を利用することで、表示モジュール１２に表示された映像は、テスト（計測及び補正データの生成）を行わない場合と何ら変わらない。つまり、見た目に違和感を覚えることなく補正データの生成を行うことができる。
【００２４】
次に、映像データ表示システム１０の各部の構成を説明する。
映像信号処理装置１１は、プロセッサ２１、発振器（ＶＣＯ）２２、タイミングコントローラ２３、バス制御手段としての双方向バス制御回路２４、処理手段，制御手段としてのデバイステスト回路２５を備えている。
【００２５】
プロセッサ２１は、外部から供給されるＲＧＢの映像データに所定の信号処理を施すためのものであり、信号処理された映像データを記憶するためのフレームメモリ２１ａを備えている。プロセッサ２１は、外部から供給されるＲＧＢの映像データを階調数に応じたビット数から構成される映像データに変換し、該映像データを１フレーム毎にフレームメモリ２１ａに格納する。
【００２６】
発振器（ＶＣＯ）２２は、映像信号処理装置１１と表示モジュール１２を動作させるためのクロック信号を生成する。タイミングコントローラ２３は、発振器２２の出力信号から該装置１１で用いられる各種タイミング信号及び表示モジュール１２で用いられる各種タイミング信号を生成する。
【００２７】
双方向バス制御回路２４は、双方向バス１３に対して、データ出力及びデータ入力を制御する。双方向バス制御回路２４は、パルス幅変調回路２４ａを備えている。パルス幅変調回路２４ａは、タイミング信号に基づいて動作し、フレームメモリ２１ａから読み出された映像データからＲＧＢのパルス幅変調信号を生成する。このパルス幅変調信号は、階調値に応じたパルス幅を有している。
【００２８】
デバイステスト回路２５は、上記のテスト機能を提供する回路であり、検査に用いる映像データ及び補正データを記憶する記憶手段としてのメモリ２５ａを備えている。デバイステスト回路２５は、図２に示すように、第１演算回路４１と第２演算回路４２を備えている。図１に示すメモリ２５ａは、図２に示すように、映像メモリ４３と補正データメモリ４４とから構成されている。映像メモリ４３には、テスト時には所定のテスト用映像データ（例えば全白の画像データ）が格納され、通常時には外部から入力される映像データ（映像入力信号）が入力される。第１演算回路４１は、映像メモリ４３から読み出された映像データと、補正データメモリ４４から読み出された補正データとを複合処理（例えば加算処理）し、その処理結果を出力する。第２演算回路４２は、入力される計測データと映像メモリ４３から読み出された映像データとの差分値データを生成する。この差分値データが補正データとして補正データメモリ４４に記憶される。
【００２９】
図２に示すように、双方向バス制御回路２４は、データ出力回路４５とデータ入力回路４６とを備える。データ出力回路４５は、並列−直列変換器であり、デバイステスト回路２５から出力される複数ビットのパラレル信号をシリアル信号に変換し、該シリアル信号を双方向バス１３に出力する。データ入力回路４６は、直列−並列変換器であり、双方向バス１３から入力されるシリアル信号をパラレル信号に変換し、該パラレル信号をデバイステスト回路２５に出力する。
【００３０】
図３に示すように、双方向バス制御回路２４は、相補なパルス幅変調信号ＳＲＰ，＊ＳＲＰに応じて映像データを伝送するための第１及び第２の駆動電流Ｉ１，Ｉ２を発生する
。双方向バス制御回路２４は、トランジスタＭ１〜Ｍ８を含む。一対の定電圧パルス幅変調信号ＳＲＰ，＊ＳＲＰは、映像データに含まれる赤色（Ｒ）の映像データに基づいて生成された信号である。映像データには、赤色（Ｒ）の他に緑色（Ｇ）及び青色（Ｂ）が含まれる。従って、双方向バス制御回路２４は、図示しないが緑色（Ｇ）の定電圧パルス幅変調信号と青色（Ｂ）の定電圧パルス幅変調信号に対応する回路（トランジスタ）を含む。
【００３１】
一対のＰチャネル型ＭＯＳトランジスタＭ１，Ｍ２は、ソースに電源電圧Ｖｃｃが印加され、ゲート及びドレインが互いにクロス接続されている。一対のＮチャネル型ＭＯＳトランジスタＭ３，Ｍ４は、差動トランジスタペアを構成し、両トランジスタＭ３，Ｍ４のソースが互いに接続されたノードと低電位電源（本実施形態ではグランドＧＮＤ）との間にはＮチャネル型ＭＯＳトランジスタＭ５が接続されている。Ｎチャネル型ＭＯＳトランジスタＭ３のゲートには定電圧パルス幅変調信号ＳＲＰが印加され、Ｎチャネル型ＭＯＳトランジスタＭ４のゲートには、定電圧反転パルス幅変調信号＊ＳＲＰが印加されている。Ｎチャネル型ＭＯＳトランジスタＭ５のゲートには、映像期間信号ＣＶが印加されている。この映像期間信号ＣＶは、表示期間においてＨレベルであり、非表示期間においてＬレベルである。
【００３２】
双方向バス１３は、一対の伝送線路１３ａ，１３ｂを備えている。Ｎチャネル型ＭＯＳトランジスタＭ３のドレインには、第２伝送線路１３ｂが接続され、Ｎチャネル型ＭＯＳトランジスタＭ４のドレインには、第１伝送線路１３ａが接続されている。第１及び第２伝送線路１３ａ，１３ｂは互いに隣接して映像信号処理装置１１から表示モジュール１２に向かって配線され、Ｎチャネル型ＭＯＳトランジスタＭ３，Ｍ４のオンオフに従ってそれぞれに第１及び第２の駆動電流Ｉ１，Ｉ２が供給される。第１及び第２の駆動電流Ｉ１
，Ｉ２は大きさが等しく、互いに逆方向に流れる電流である。即ち、トランジスタＭ１〜
Ｍ５は、表示期間において定電圧パルス幅変調信号ＳＲＰ，＊ＳＲＰに応じた駆動電流Ｉ１，Ｉ２を流すデータ出力回路（第１の出力回路）として機能する。
【００３３】
第２伝送線路１３ｂには、Ｎチャネル型ＭＯＳトランジスタＭ６のドレインが接続され、第１伝送線路１３ａには、Ｎチャネル型ＭＯＳトランジスタＭ７のドレインが接続されている。一対のＮチャネル型ＭＯＳトランジスタＭ６，Ｍ７は、差動トランジスタペアを構成し、両トランジスタＭ６，Ｍ７のソースが互いに接続されたノードと低電位電源（本実施形態ではグランドＧＮＤ）との間にはＮチャネル型ＭＯＳトランジスタＭ８が接続されている。Ｎチャネル型ＭＯＳトランジスタＭ６のゲートにはデバイス信号ＳＤが印加され、Ｎチャネル型ＭＯＳトランジスタＭ７のゲートにはデバイス信号＊ＳＤが印加されている。Ｎチャネル型ＭＯＳトランジスタＭ８のゲートには反転映像期間信号＊ＣＶが印加されている。この反転映像期間信号＊ＣＶは、映像期間信号ＣＶを反転した信号である。従って、反転映像期間信号＊ＣＶは、表示期間においてＬレベルであり、非表示期間においてＨレベルである。
【００３４】
第１及び第２伝送線路１３ａ，１３ｂには、Ｎチャネル型ＭＯＳトランジスタＭ６，Ｍ７のオンオフに従ってそれぞれに第３及び第４の駆動電流Ｉ３，Ｉ４が供給される。第３
及び第４の駆動電流Ｉ３，Ｉ４は大きさが等しく、互いに逆方向に流れる電流である。即
ち、トランジスタＭ１，Ｍ２，Ｍ６，Ｍ７，Ｍ８は、非表示期間においてデバイス信号ＳＤ，＊ＳＤに応じた駆動電流Ｉ３，Ｉ４を流す電流電圧変換のためのデータ出力回路（第２の出力回路）として機能する。
【００３５】
図１に示すように、表示モジュール１２は、表示部（表示領域）３１、双方向バス制御回路３２、水平駆動回路３３及び垂直駆動回路３４、プリチャージ回路３５を備えている。表示領域３１は、マトリックス状に配置されたセルＧＳにより構成されている。尚、図４には、１つのセルＧＳを示す。水平駆動回路３３及び垂直駆動回路３４は、映像信号処理装置１１から供給されるＨ−パルス（水平走査パルス）及びＶ−パルス（垂直走査パルス）に応答して表示領域３１のセルＧＳを順次選択する。
【００３６】
双方向バス制御回路３２は、双方向バス１３に対して、データ出力及びデータ入力を制御する。双方向バス制御回路３２は、電流駆動回路３２ａを含む。電流駆動回路３２ａは、双方向バス１３を介して入力した駆動電流を選択されたセルＧＳに供給する。プリチャージ回路３５は、映像信号処理装置１１から供給される信号Presetに応答してセルＧＳが接続されたドレインラインをプリチャージする。
【００３７】
図５に示すように、双方向バス制御回路３２は、一対のＰチャネル型ＭＯＳトランジスタＭ１１，Ｍ１２を備えている。両トランジスタＭ１１，Ｍ１２は、ソースに電源電圧Ｖｃｃが印加され、ゲート及びドレインが互いにクロス接続されている。トランジスタＭ１１のドレインは第２伝送線路１３ｂに接続され、トランジスタＭ１２のドレインは第１伝送線路１３ａに接続されている。一対のＮチャネル型ＭＯＳトランジスタＭ１３，Ｍ１４は、差動トランジスタペアを構成し、トランジスタＭ１３のドレインは第２伝送線路１３ｂに接続され、トランジスタＭ１４のドレインは第１伝送線路１３ａに接続されている。両トランジスタＭ１３，Ｍ１４のソースが互いに接続されたノードと低電位電源（本実施形態ではグランドＧＮＤ）との間にはＮチャネル型ＭＯＳトランジスタＭ１５が接続されている。トランジスタＭ１３のゲートにはデータ信号ＤＴが印加され、トランジスタＭ１４のゲートには、反転データ信号＊ＤＴが印加されている。Ｎチャネル型ＭＯＳトランジスタＭ１５のゲートには、反転映像期間信号＊ＣＶが印加されている。
【００３８】
第１及び第２伝送線路１３ａ，１３ｂには、Ｎチャネル型ＭＯＳトランジスタＭ１３，Ｍ１４のオンオフに従ってそれぞれに第５及び第６の駆動電流Ｉ５，Ｉ６が供給される。
第５及び第６の駆動電流Ｉ５，Ｉ６は大きさが等しく、互いに逆方向に流れる電流である
。即ち、トランジスタＭ１１〜Ｍ１５は、非表示期間においてデータ信号ＤＴ，＊ＤＴに応じた駆動電流Ｉ５，Ｉ６を流すデータ出力回路として機能する。つまり、
双方向バス制御回路３２は、相補なデータ信号ＤＴ，＊ＤＴに応じて表示モジュール１２から映像信号処理装置１１にデータを伝送するための第５及び第６の駆動電流Ｉ５，Ｉ６
を発生データ出力回路として機能する。
【００３９】
電流駆動回路３２ａは、Ｐチャネル型ＭＯＳトランジスタＭ１６，Ｍ１７，Ｍ１８を含む。トランジスタＭ１６，Ｍ１７はカレントミラー接続され、トランジスタＭ１６のドレインは第２伝送線路１３ｂに接続され、トランジスタＭ１７のドレインは第１伝送線路１３ａに接続されている。両トランジスタＭ１６，Ｍ１７のソースが互いに接続されたノードにはＰチャネル型ＭＯＳトランジスタＭ１８のドレインが接続され、そのトランジスタＭ１８のソースには電源電圧Ｖｃｃが印加され、ゲートには映像期間信号ＣＶが印加されている。これらトランジスタＭ１６〜Ｍ１８は、表示期間において第１及び第２伝送線路１３ａ，１３ｂに流れる駆動電流Ｉ１，Ｉ２の大きさを等しくする。
【００４０】
電流駆動回路３２ａにおいて、第１伝送線路１３ａには、スイッチング信号ＳＷ，＊ＳＷ（＊ＳＷはＳＷの反転信号）に応じてスイッチングし、第１の駆動電流Ｉ１をドレインライン５１に供給するＣＭＯＳトランスファゲートＴＧ１が接続されている。スイッチング信号ＳＷ，＊ＳＷは水平走査信号であり、図１の水平駆動回路３３から供給される。
【００４１】
ドレインライン５１とゲートライン５２の交点付近には、表示パネルの表示領域３１を構成する画素ＧＳが配置されている。画素ＧＳは画素選択用トランジスタＴ１と電流駆動型発光素子Ｌ１（例えば、ＬＥＤ素子、有機ＥＬ素子、無機ＥＬ素子又はＴＦＤ素子などの電流駆動液晶素子）を有している。画素選択用トランジスタＴ１は薄膜トランジスタ（ＴＦＴ）であり、そのゲートにはゲートライン５２が接続され、図１の垂直駆動回路３４から垂直走査信号がゲートライン５２に供給される。画素選択用トランジスタＴ１は垂直走査信号に応じてスイッチングし、ドレインライン５１からの第１の駆動電流Ｉ１を電流駆動型発光素子Ｌ１に供給する。尚、図示しないが、第２伝送線路１３ｂにも、同様に、トランスファゲート、ドレインライン、画素ＧＳ、ゲートラインが接続されている。
【００４２】
双方向バス制御回路３２において、第１伝送線路１３ａには、ＣＭＯＳトランスファゲートＴＧ２を介して第３伝送線路６１が接続され、第２伝送線路１３ｂにはＣＭＯＳトランスファゲートＴＧ３を介して第４伝送線路６２が接続されている。両トランスファゲートＴＧ２，ＴＧ３には、反転映像期間信号＊ＣＶと、その信号＊ＣＶをインバータ回路６３により反転した信号ＣＶ２が供給され、これら信号により両トランスファゲートＴＧ２，ＴＧ３が表示期間に共にオフし、非表示期間に共にオンする。従って、第３及び第４伝送線路６１，６２は、表示期間において第１及び第２伝送線路１３ａ，１３ｂから切り離され、非表示期間において第１及び第２伝送線路１３ａ，１３ｂと接続される。
【００４３】
第３及び第４伝送線路６１，６２には、複数（図５では１つのみを示す）の選択回路７１が接続されている。選択回路７１は、Ｎチャネル型ＭＯＳトランジスタＭ２１，Ｍ２２から構成されている。トランジスタＭ２１，Ｍ２２はそれぞれ第１端子が第３及び第４伝送線路６１，６２に接続され、第２端子が外部の機器（検査装置１５、他の表示モジュール、等）に接続され、ゲートには選択信号ＭＳ０が印加される。複数の選択回路７１のうちの１つが選択信号により選択され、該選択された選択回路７１に接続された機器が第３及び第４伝送線路６１，６２に接続され、該第３及び第４伝送線路６１，６２は、非表示期間に第１及び第２伝送線路１３ａ，１３ｂと接続される。従って、外部の機器は、非表示期間において、第１及び第２伝送線路１３ａ，１３ｂ、第３及び第４伝送線路６１，６２を介して映像信号処理装置１１に接続される。これにより、外部の機器として接続された検査装置１５から各種データ（検査データ，認識データ、補正データ、等）が映像信号処理装置１１に伝送される。
【００４４】
以上記述したように、本実施の形態によれば、以下の効果を奏する。
（１）表示装置１０は、映像信号を前記双方向バスを介して送信する映像信号処理装置１１と、前記映像信号に基づく画像を表示する表示モジュール１２とを備え、映像信号処理装置１１と表示モジュール１２は双方向バス１３を介して接続されている。この双方向バス１３には検査装置１５が接続される。従って、検査装置１５は、映像信号処理装置１１、表示モジュール１２と直接的に接続されることになる。このため、検査装置１５により、映像信号処理装置１１と表示モジュール１２を個別に検査することができる。
【００４５】
（２）映像信号処理装置１１は、デバイステスト回路２５を備え、該デバイステスト回路２５は補正データを記憶するメモリ２５ａを備えている。そして、デバイステスト回路２５は、映像データと補正データとを複合処理したデータを出力する。表示モジュール１２の状態に応じた補正データにより映像データを補正することができ、欠陥をなくす、或いは目立たなくする、つまり表示品位を補正することができる。
【００４６】
尚、上記各実施の形態は、以下の態様で実施してもよい。
・上記実施形態において、双方向バス１３に接続する機器は、検査装置１５や表示モジュールに限らず、マルチメディア（ＭＭ）装置を接続し、機能（データ）の伝送を双方向電流により行うようにしてもよい。
【００４７】
・上記実施形態において、表示モジュール１２にタッチパネル等の入力装置を備え、該入力装置から入力されたデータを、双方向バス１３を介して映像信号処理装置１１に送信する構成としてもよい。双方向バス１３を備えているため、入力装置等のデータを送信するために新たなインタフェイスを備える必要が無く、入力装置を取り付ける等、機能の追加を容易に行うことができる。
【図面の簡単な説明】
【００４８】
【図１】一実施形態の表示装置のブロック図である。
【図２】デバイステスト回路及び双方向バス制御回路のブロック図である。
【図３】データ出力回路及びデータ入力回路の回路図である。
【図４】表示期間及び帰線期間の説明図である。
【図５】表示入力制御回路の回路図である。
【符号の説明】
【００４９】
１１…映像信号処理装置、１２…表示モジュール、１３…双方向バス、１３ａ，１３ｂ…伝送線路、１５…検査装置、７１…選択回路、Ｉ１〜Ｉ６…駆動電流。
【図１】
2006153927.tif 000003
【図２】
2006153927.tif 000004
【図３】
2006153927.tif 000005
【図４】
2006153927.tif 000006
【図５】
2006153927.tif 000007